(57)【特許請求の範囲】
【請求項１】
推進方向を対向させて両側にそれぞれ複数の函体を順次並列させて配置し、それぞれの側の各函体間を推進ジャッキで連結し、少なくとも一方の側の最後部の函体の後部にけん引ジャッキを取り付け、該けん引ジャッキに連結したけん引部材の端部を他方の側の函体の後方に定着具を介して固定し、推進ジャッキの作動により両側の複数の函体のうちの最後部以外の函体を最前列のものから同時に前進させ、最後にけん引ジャッキを作動して両側の最後部の函体を前進させることを特徴とする函体の前進方法。
【請求項２】
推進方向を対向させて両側にそれぞれ複数の函体を順次並列させて配置し、それぞれの側の各函体間を推進ジャッキで連結し、一方の側の最後部の函体の後部にけん引ジャッキを取り付け、該けん引ジャッキに連結したけん引部材の端部を他方の側の函体の後方に定着具を介して固定し、推進ジャッキの作動により両側の複数の函体のうちの最後部以外の函体を最前列のものから同時に前進させ、最後にけん引ジャッキを作動して両側の最後部の函体を順次前進させることを特徴とする函体の前進方法。
【請求項３】
推進方向を対向させて両側にそれぞれ複数の函体を順次並列させて配置し、それぞれの側の各函体間を推進ジャッキで連結するとともに両側の最後部の函体の後部にけん引ジャッキを取り付け、該けん引ジャッキに連結したけん引部材の端部を他方の側の函体の後方に定着具を介して固定し、推進ジャッキの作動により両側の複数の函体のうちの最後部以外の函体を最前列のものから同時に前進させ、最後にけん引ジャッキを作動して両側の最後部の函体を同時に前進させることを特徴とする函体の前進方法。
【請求項４】
推進方向を対向させて両側にそれぞれ複数の函体を順次並列させて配置し、それぞれの側の各函体間を推進ジャッキで連結するとともに最後部に取り付けたけん引ジャッキに連結したけん引部材を前方の函体に定着具を介して固定し、一方の側の最後部の函体の後部にけん引ジャッキを取り付け、該けん引ジャッキに連結したけん引部材の端部を他方の側の函体の後方に定着具を介して固定し、推進ジャッキの作動により両側の複数の函体のうちの最後部以外の函体を最前列のものから同時に前進させ、最後にけん引ジャッキを作動して最前部の函体と対向する側の後方の函体を反力体として、両側の最後部の函体を順次前進させることを特徴とする函体の前進方法。
【請求項５】
推進方向を対向させて両側にそれぞれ複数の函体を順次並列させて配置し、それぞれの側の各函体間を推進ジャッキで連結するとともに最後部に取り付けたけん引ジャッキに連結したけん引部材を前方の函体に定着具を介して固定し、さらにそれぞれの側の最後部の函体の後部にけん引ジャッキを取り付け、該けん引ジャッキに連結したけん引部材の端部を他方の側の函体の後方に定着具を介して固定し、推進ジャッキの作動により両側の複数の函体のうちの最後部以外の函体を最前列のものから同時に前進させ、最後にけん引ジャッキを作動して最前部の函体と対向する側の後方の函体を反力体として、両側の最後部の函体を同時に前進させることを特徴とする函体の前進方法。
【発明の詳細な説明】
【０００１】
【発明の属する技術分野】
本発明は、推進方向を対向させて配置した函体の前進方法に関するものである。
【０００２】
【従来の技術】
鉄道、道路などの下部地中に大幅員の地下構造物を横断方向に掘進させる方法には、例えば発進側に推進ジャッキを設置し、これで地下構造物である函体を到達側に押し進めたり、けん引ジャッキを函体の後部に取り付け、到達側に設置した反力体をアンカーとしてＰＣ鋼線などによるけん引部材で函体を発進側から到達側にけん引したり、また、後者のようなけん引による方法で、掘進場所の両側から互いに引き合いながら函体を交互に前進させる方法もある。
【０００３】
【発明が解決しようとする課題】
いずれの方法でも、複数の函体を順次前進させる場合に、１工程で前進する函体は１個であり、このため施工期間が長くなり、横断箇所上部の地上の道路や鉄道などに対する影響期間も長くなって安全性の点でも好ましくない。
【０００４】
本発明の目的は前記従来例の不都合を解消し、鉄道、道路などの下部地中に大幅員の地下構造物を横断方向に掘進させる場合に、施工期間の短縮を図れる函体の前進方法を提供することにある。
【０００５】
【課題を解決するための手段】
本発明は前記目的を達成するため、第１に、推進方向を対向させて両側にそれぞれ複数の函体を順次並列させて配置し、それぞれの側の各函体間を推進ジャッキで連結し、少なくとも一方の側の最後部の函体の後部にけん引ジャッキを取り付け、該けん引ジャッキに連結したけん引部材の端部を他方の側の函体の後方に定着具を介して固定し、推進ジャッキの作動により両側の複数の函体のうちの最後部以外の函体を最前列のものから同時に前進させ、最後にけん引ジャッキを作動して両側の最後部の函体を前進させることを要旨とするものである。
【０００６】
第２に、推進方向を対向させて両側にそれぞれ複数の函体を順次並列させて配置し、それぞれの側の各函体間を推進ジャッキで連結し、一方の側の最後部の函体の後部にけん引ジャッキを取り付け、該けん引ジャッキに連結したけん引部材の端部を他方の側の函体の後方に定着具を介して固定し、推進ジャッキの作動により両側の複数の函体のうちの最後部以外の函体を最前列のものから同時に前進させ、最後にけん引ジャッキを作動して両側の最後部の函体を順次前進させることを要旨とするものである。
【０００７】
第３に、推進方向を対向させて両側にそれぞれ複数の函体を順次並列させて配置し、それぞれの側の各函体間を推進ジャッキで連結するとともに両側の最後部の函体の後部にけん引ジャッキを取り付け、該けん引ジャッキに連結したけん引部材の端部を他方の側の函体の後方に定着具を介して固定し、推進ジャッキの作動により両側の複数の函体のうちの最後部以外の函体を最前列のものから同時に前進させ、最後にけん引ジャッキを作動して両側の最後部の函体を同時に前進させることを要旨とするものである。
【０００８】
第４に、推進方向を対向させて両側にそれぞれ複数の函体を順次並列させて配置し、それぞれの側の各函体間を推進ジャッキで連結するとともに最後部に取り付けたけん引ジャッキに連結したけん引部材を前方の函体に定着具を介して固定し、一方の側の最後部の函体の後部にけん引ジャッキを取り付け、該けん引ジャッキに連結したけん引部材の端部を他方の側の函体の後方に定着具を介して固定し、推進ジャッキの作動により両側の複数の函体のうちの最後部以外の函体を最前列のものから同時に前進させ、最後にけん引ジャッキを作動して最前部の函体と対向する側の後方の函体を反力体として、両側の最後部の函体を順次前進させることを要旨とするものである。
【０００９】
第５に、推進方向を対向させて両側にそれぞれ複数の函体を順次並列させて配置し、それぞれの側の各函体間を推進ジャッキで連結するとともに最後部に取り付けたけん引ジャッキに連結したけん引部材を前方の函体に定着具を介して固定し、さらにそれぞれの側の最後部の函体の後部にけん引ジャッキを取り付け、該けん引ジャッキに連結したけん引部材の端部を他方の側の函体の後方に定着具を介して固定し、推進ジャッキの作動により両側の複数の函体のうちの最後部以外の函体を最前列のものから同時に前進させ、最後にけん引ジャッキを作動して最前部の函体と対向する側の後方の函体を反力体として、両側の最後部の函体を同時に前進させることを要旨とするものである。
【００１０】
請求項１記載の本発明によれば、推進ジャッキの作動で最前部および最後部以外の函体の、対向する位置にあるもの同士がその後方の函体を反力体として同時に順次前進し、１工程で対向位置にある２個の函体が同時に前進する。そして、最後部の函体はけん引ジャッキの作動により前進する。
【００１１】
請求項２記載の本発明によれば、推進ジャッキの作動で最前部および最後部以外の函体の、対向する位置にあるもの同士がその後方の函体を反力体として同時に順次前進し、１工程で対向位置にある２個の函体が同時に前進する。そして、最後部の函体はけん引ジャッキの作動により当該けん引ジャッキを取り付けた函体の前の函体を反力体として対向側の最後部の函体が前進し、次ぎに前工程で前進した最後部の函体を反力体として同じけん引ジャッキを作動して当該けん引ジャッキを取り付けた函体が前進する。
【００１２】
請求項３記載の本発明によれば、推進ジャッキの作動で最前部および最後部以外の函体の、対向する位置にあるもの同士がその後方の函体を反力体として同時に順次前進し、１工程で対向位置にある２個の函体が同時に前進する。そして、最後部の函体は対向側の最後部の函体を互いに反力体としてそれぞれに取り付けたけん引ジャッキの作動で同時に前進する。
【００１３】
請求項４記載の本発明によれば、推進ジャッキの作動で最前部および最後部以外の函体の、対向する位置にあるもの同士がその後方の函体を反力体として同時に順次前進し、１工程で対向位置にある２個の函体が同時に前進する。そして、最後部の函体はそれぞれの側の最前部の函体を反力体としてけん引ジャッキの作動で同時に前進するとともに、一方の側の函体は対向側の函体も反力体として前進する。
【００１４】
請求項５記載の本発明によれば、推進ジャッキの作動で最前部および最後部以外の函体の、対向する位置にあるもの同士がその後方の函体を反力体として同時に順次前進し、１工程で対向位置にある２個の函体が同時に前進する。そして、最後部の函体もそれぞれの側の最前部の函体と、対向側の函体を反力体としてけん引ジャッキの作動で同時に前進する。
【００１５】
【発明の実施の形態】
以下、図面について本発明の実施形態を詳細に説明する。図１は本発明の函体の前進方法の第１実施形態の前進工程を示す説明図で、推進方向を対向させて構築場所の相対する側にそれぞれ先端に刃口を有する函体１ａ，１ｃを配置し、該函体１ａ，１ｃの後方にそれぞれ推進ジャッキ６ａ，６ｃを介して函体１ｂ，１ｄを連結し、対向位置に配置する函体を同数の複数とした。
【００１６】
そして、一方の側の最後部の函体１ｄの後部にのみセンターホール式のけん引ジャッキ３を取り付け、このけん引ジャッキ３に連結したＰＣ鋼線などによるけん引部材４の他端を他方の側の後方、例えば最後部の函体１ｂの後部に定着具５を介して固定する（図１（ａ））。
【００１７】
函体１ａ〜１ｄを前進させるには、最前部の函体１ａ，１ｃに取り付けた推進ジャッキ６ａ，６ｃをそれぞれ作動してその後方の函体１ｂ，１ｄを反力体として最前部の函体１ａ，１ｃを同時に前進させる。これにより、１工程で対向位置の函体１ａ，１ｃが同時に前進する（図１（ｂ））。
【００１８】
次にけん引ジャッキ３ｄを作動してけん引ジャッキ３ｄを取り付けた函体１ｄの前方の函体１ｃを反力体として対向側の最後部の函体１ｂをけん引部材４で前方に引っ張り前進させる（図１（ｃ））。
【００１９】
最後にけん引ジャッキ３ｄを再び作動して対向側の函体１ａ，１ｂを反力体として函体１ｄを前進させる（図１（ｄ））。
【００２０】
図２は第２実施形態を示し、前記第１実施形態の構成に加え、一方の側の最後部の函体１ｂの後部にもけん引ジャッキ３ｂを取り付けたもの（図２（ａ））で、最前部の函体１ａ，１ｃを推進ジャッキ６ａ，６ｃで同時に前進させることは前記第５実施形態と同様である（図２（ｂ））。
【００２１】
最後部の函体１ｂ，１ｄを前進させるにはそれぞれに取り付けたけん引ジャッキ３ｂ，３ｄを同時に作動して、対向する函体１ｄ，１ｂ、前方の函体１ａ，１ｃをそれぞれ反力体として互いに引きあいながら同時に前進させる（図２（ｃ））。
【００２２】
図３は第３実施形態を示し、図１に示した第１実施形態と同様に対向位置に配置する函体が同数の複数の場合で、この例ではそれぞれの側に３個ずつの函体１ａ，１ｂ，１ｃと函体１ｄ，１ｅ，１ｆを配置し、最前部の函体１ａ，１ｄとその後方の函体１ｂ，１ｃ、函体１ｅ，１ｆをそれぞれ推進ジャッキ６ａ，６ｂ、６ｄ，６ｅで連結し、最後部の一方の函体１ｆの後部にのみけん引ジャッキ３ｆを取り付け、このけん引ジャッキ３ｆに連結したけん引部材４を対向側の後方、例えば最後部の函体１ｃの後部に定着具５で固定する（図３（ａ））。
【００２３】
函体１ａ〜１ｆを前進させるには、最前部の函体１ａ，１ｄに取り付けた推進ジャッキ６ａ，６ｄをそれぞれ作動してその後方の函体１ｂ，１ｃと函体１ｅ，１ｆを反力体として最前部の函体１ａ，１ｄを同時に前進させる。これにより、１工程で対向位置の函体１ａ，１ｄが同時に前進する（図３（ｂ））。
【００２４】
次に同様にして２番目の函体１ｂ，１ｅもこれに取り付けた推進ジャッキ６ｂ，６ｅを作動してその後方の函体１ｃ，１ｆを反力体として同時に前進させる。これにより、１工程で対向位置の函体１ｂ，１ｅが同時に前進する（図３（ｃ））。
【００２５】
最後に、けん引ジャッキ３ｆを作動して、けん引ジャッキ３ｆを取り付けた函体１ｆの前方の函体１ｄ，１ｅを反力体としてけん引部材４で対向側の最後部の函体１ｃを引っ張って前進させ（図３（ｄ））、次に、けん引ジャッキ３ｆを再び作動して対向側の函体１ａ，１ｂ，１ｃを反力体として最後部の函体１ｆを前進させる（図３（ｅ））。
【００２６】
図４は第４実施形態を示し、図２に示した第２実施形態と同様に対向位置に配置する函体が同数の複数の場合で、この例ではそれぞれの側に３個ずつの函体１ａ，１ｂ，１ｃと函体１ｄ，１ｅ，１ｆを配置し、最前部の函体１ａ，１ｄとその後方の函体１ｂ，１ｃ、函体１ｅ，１ｆをそれぞれ推進ジャッキ６ａ，６ｂ、６ｄ，６ｅで連結し、最後部の両方の函体１ｃ，１ｆの後部にけん引ジャッキ３ｃ，３ｆを取り付け、このけん引ジャッキ３ｃ，３ｆに連結したけん引部材４を対向側の後方、例えば最後部の函体１ｆ，１ｃの後部に定着具５で固定する（図４（ａ））。
【００２７】
この場合も最前部の函体１ａ，１ｄとその後方の函体１ｂ，１ｅを推進ジャッキ６ａ，６ｂ、６ｄ，６ｅで同時に前進させることは前記第２実施形態と同様である（図４（ｂ）（ｃ））。
【００２８】
最後部の函体１ｃ，１ｆを前進させるにはそれぞれに取り付けたけん引ジャッキ３ｃ，３ｆを同時に作動して、対向する函体１ｆ，１ｃ、前方の函体１ａ，１ｂ、函体１ｄ，１ｅをそれぞれ反力体として互いに引きあいながら同時に前進させる（図４（ｄ））。
【００２９】
図５は第５実施形態を示し、ＥＳＡ工法を併用するものとして図３の第３実施形態の構成に加えて、対向させて配置した複数の函体１ａ〜１ｆについて、それぞれ最後部の函体１ｃ，１ｆの後部にさらにけん引ジャッキ７ｃ，７ｆを取り付け、該けん引ジャッキ７ｃ，７ｆに連結したＰＣ鋼線などによるけん引部材８ｃ，８ｆの他端を各側の前方、例えば最前部の函体１ａ，１ｄの前部に定着具５で固定する（図５（ａ））。
【００３０】
函体１ａ〜１ｆを前進させるには、最前部の函体１ａ，１ｄに取り付けた推進ジャッキ６ａ，６ｄをそれぞれ作動してその後方の函体１ｂ，１ｃと函体１ｅ，１ｆを反力体として最前部の函体１ａ，１ｄを同時に前進させる。これにより、１工程で対向位置の函体１ａ，１ｄが同時に前進する（図５（ｂ））。
【００３１】
次に同様にして２番目の函体１ｂ，１ｅもこれに取り付けた推進ジャッキ６ｂ，６ｅを作動してその後方の函体１ｃ，１ｆを反力体として同時に前進させる。これにより、１工程で対向位置の函体１ｂ，１ｅが同時に前進する（図５（ｃ））。
【００３２】
最後に最後部の函体１ｃ，１ｆを前進させるには、函体１ｃについてはけん引ジャッキ７ｃを作動してその前方の函体１ａ，１ｂを反力体としてけん引部材８ｃで前方に引っ張り前進させ、函体１ｆについてもその前方の函体１ｄ，１ｅを反力体としてけん引部材８ｆで前方に引っ張り同時に前進させ、さらに、同時にけん引ジャッキ３ｆを作動して最後部の函体１ｃ，１ｆを互いに反力体として利用しながらけん引部材４で引き合う。
【００３３】
これにより、最後部の函体１ｃ，１ｆも同時に前進する（図５（ｄ））。この場合、最後部の函体１ｃ，１ｆはけん引ジャッキ７ｃ、また、けん引ジャッキ７ｆとけん引ジャッキ３ｆの両方で引っ張られるから、並列する函体の数が多くても十分なけん引力を得られる。
【００３４】
図６は第６実施形態を示し、図５の第５実施形態の構成に加えて一方の側の最後部の函体１ｆだけでなく、対向側の最後部の函体１ｃについても後部にけん引ジャッキ３ｃを取り付け、該けん引ジャッキ３ｃに連結したけん引部材４の他端を対向側の後方、例えば最後部の函体１ｆの後部に定着具５で固定した（図６（ａ））。
【００３５】
函体１ａ〜１ｆを前進させるには、最前部の函体１ａ，１ｄに取り付けた推進ジャッキ６ａ，６ｄをそれぞれ作動してその後方の函体１ｂ，１ｃと函体１ｅ，１ｆを反力体として最前部の函体１ａ，１ｄを同時に前進させる。これにより、１工程で対向位置の函体１ａ，１ｄが同時に前進する（図６（ｂ））。
【００３６】
次に同様にして２番目の函体１ｂ，１ｅもこれに取り付けた推進ジャッキ６ｂ，６ｅを作動してその後方の函体１ｃ，１ｆを反力体として同時に前進させる。これにより、１工程で対向位置の函体１ｂ，１ｅが同時に前進する（図６（ｃ））。
【００３７】
最後に最後部の函体１ｃ，１ｆを前進させるには、函体１ｃについてはけん引ジャッキ７ｃを作動してその前方の函体１ａ，１ｂを反力体としてけん引部材８ｃで前方に引っ張り前進させ、函体１ｆについてもその前方の函体１ｄ，１ｅを反力体としてけん引部材８ｆで前方に引っ張り同時に前進させ、さらに、同時にけん引ジャッキ３ｃ，３ｆを作動して最後部の函体１ｃ，１ｆを互いに反力体として利用しながらけん引部材４で引き合う。
【００３８】
これにより、最後部の函体１ｃ，１ｆも同時に前進する（図６（ｄ））。この場合、最後部の函体１ｃ，１ｆはけん引ジャッキ７ｃとけん引ジャッキ３ｃ、また、けん引ジャッキ７ｆとけん引ジャッキ３ｆの両方で引っ張られるから、並列する函体の数が多くても十分なけん引力を得られる。
【００３９】
【発明の効果】
以上述べたように本発明の函体の前進方法は、鉄道、道路などの下部地中に大幅員の地下構造物を横断方向に掘進させる場合に、掘進方向の対向側から同時に函体を前進させることができるから、施工期間の短縮を図ることができ、また、函体を反力体として利用するから反力壁などを別途設ける必要がなく、その設置スペースも不要となり、施工性もよいものである。
【図面の簡単な説明】
【図１】本発明の函体の前進方法の第１実施形態を示す工程図である。
【図２】本発明の函体の前進方法の第２実施形態を示す工程図である。
【図３】本発明の函体の前進方法の第３実施形態を示す工程図である。
【図４】本発明の函体の前進方法の第４実施形態を示す工程図である。
【図５】本発明の函体の前進方法の第５実施形態を示す工程図である。
【図６】本発明の函体の前進方法の第６実施形態を示す工程図である。
【符号の説明】
１ａ，１ｂ，１ｃ，１ｄ，１ｅ，１ｆ…函体
３ｂ，３ｃ，３ｄ，３ｆ…けん引ジャッキ
４…けん引部材                  ５…定着具
６ａ，６ｂ，６ｃ，６ｄ，６ｅ…推進ジャッキ
７ｃ，７ｆ…けん引ジャッキ      ８ｃ，８ｆ…けん引部材
【図１】
0003860482.tif 000002
【図２】
0003860482.tif 000003
【図３】
0003860482.tif 000004
【図４】
0003860482.tif 000005
【図５】
0003860482.tif 000006
【図６】
0003860482.tif 000007